(57)【特許請求の範囲】
【請求項１】
現用系と予備系で互いに独立して圧縮符号化され伝送ブロックに割り当てられたデジタル放送信号を現用・予備切替信号に応じて選択的に導出するデジタル放送送出システムの現用・予備切替装置において、
前記現用系と予備系の各デジタル放送信号をそれぞれ所定ブロック数分保存する現用系バッファ及び予備系バッファと、
前記現用系バッファ及び予備系バッファの出力のいずれか一方を送出信号として選択的に導出する切替スイッチと、
前記現用系バッファ及び予備系バッファに保存されたデジタル放送信号の各ブロックの内容を識別するブロック識別手段と、
前記現用・予備切替信号が入力されたとき、前記ブロック識別手段の識別結果に基づいて前記予備系バッファから前記現用系バッファと切替可能なブロックが読み出されるように前記予備系バッファの読み出し開始位置を制御した後、前記切替スイッチを現用系から予備系に切り替えるタイミング制御手段とを具備することを特徴とするデジタル放送送出システムの現用・予備切替装置。
【請求項２】
前記デジタル放送信号はＭＰＥＧ２符号化方式で規定されるフォーマットで生成されたトランスポートストリームであり、前記現用系バッファ及び予備系バッファは前記トランスポートストリームを所定個数のパケット分保存し、前記ブロック識別手段は、前記現用系バッファ及び予備系バッファに保存されたトランスポートストリームの各パケットの内容を識別することを特徴とする請求項１記載のデジタル放送送出システムの現用・予備切替装置。
【請求項３】
前記タイミング制御手段は、前記ブロック識別手段の識別結果から、前記トランスポートストリームのパケットの内、切替可能なパケットを判別し、そのパケットで切り替わるように前記切替スイッチを制御することを特徴とする請求項２記載のデジタル放送送出システムの現用・予備切替装置。
【請求項４】
前記タイミング制御手段は、前記ブロック識別手段の識別結果から、前記トランスポートストリームのパケットの内、映像パケット、音声パケット及びデータパケットのそれぞれについて切替可能なパケットを判別し、それぞれの切替可能なパケットで切り替えるように前記切替スイッチを制御することを特徴とする請求項３記載のデジタル放送送出システムの現用・予備切替装置。
【発明の詳細な説明】
【０００１】
【発明の属する技術分野】
本発明は、現用・予備の二重化構造を有するデジタル放送送出システムに係り、特に現用・予備の切替制御技術に関する。
【０００２】
【従来の技術】
従来より、放送送出設備にあっては、機器の故障対策及び保守のために、現用・予備の二重化構成とすることが一般的となっている。
【０００３】
ここで、従来のアナログ放送送出システムでは、信号が圧縮されていないため、現用・予備の切替時にショックが目立たないようにするのに、フレーム同期を行った上で、フレーム位置で切り替えるものとし、接点の切替時に発生するノイズ対策等を講じるだけで十分であった。しかしながら、デジタル放送では、ベースバンド系の先において放送データに圧縮を施してストリームを形成しており、圧縮されたストリームにおいては切れ目が分かり難く、特にＭＰＥＧ２等の映像圧縮方式ではフレーム間で相関をとっている。このため、デジタル放送送出システムでは、現用・予備の切り替えにおいて、アナログ放送のように単純にフレーム同期を行ってフレーム位置で切り替えることはできない。
【０００４】
【発明が解決しようとする課題】
以上述べたように、デジタル放送送出システムにあっては、アナログ放送の技術をそのまま適用することはできず、現用・予備の切り替えをスムーズに行うための切替装置が必要となっている。
【０００５】
本発明は上記の事情を考慮してなされたもので、デジタル放送信号の現用・予備の切り替えを送出信号に乱れを生じさせることなくスムーズに行うことのできるデジタル放送送出システムの現用・予備切替装置を提供することを目的とする。
【０００６】
【課題を解決するための手段】
上記の目的を達成するために本発明は、現用系と予備系で互いに独立して圧縮符号化され伝送ブロックに割り当てられたデジタル放送信号を現用・予備切替信号に応じて選択的に導出するデジタル放送送出システムの現用・予備切替装置において、前記現用系と予備系の各デジタル放送信号をそれぞれ所定ブロック数分保存する現用系バッファ及び予備系バッファと、前記現用系バッファ及び予備系バッファの出力のいずれか一方を送出信号として選択的に導出する切替スイッチと、前記現用系バッファ及び予備系バッファに保存されたデジタル放送信号の各ブロックの内容を識別するブロック識別手段と、前記現用・予備切替信号が入力されたとき、前記ブロック識別手段の識別結果に基づいて前記予備系バッファから前記現用系バッファと切替可能なブロックが読み出されるように前記予備系バッファの読み出し開始位置を制御した後、前記切替スイッチを現用系から予備系に切り替えるタイミング制御手段とを具備することを特徴とする。
【０００７】
特に、前記デジタル放送信号はＭＰＥＧ２符号化方式で規定されるフォーマットで生成されたトランスポートストリームであるとき、前記現用系バッファ及び予備系バッファは前記トランスポートストリームを所定個数のパケット分保存し、前記ブロック識別手段は、前記現用系バッファ及び予備系バッファに保存されたトランスポートストリームの各パケットの内容を識別することを特徴とする。
【０００８】
また、前記タイミング制御手段は、前記ブロック識別手段の識別結果から、前記トランスポートストリームのパケットの内、切替可能なパケットを判別し、そのパケットで切り替わるように前記切替スイッチを制御することを特徴とする。
【０００９】
この場合、前記タイミング制御手段は、前記ブロック識別手段の識別結果から、前記トランスポートストリームのパケットの内、映像パケット、音声パケット及びデータパケットのそれぞれについて切替可能なパケットを判別し、それぞれの切替可能なパケットで切り替えるように前記切替スイッチを制御することを特徴とする。
【００１０】
【発明の実施の形態】
以下、図面を参照して本発明の実施の形態を詳細に説明する。
【００１１】
図１は本発明に係るデジタル放送送出システムの構成を示すブロック図である。図１において、１１は現用系送出装置、１２は予備系送出装置である。
【００１２】
現用送出装置１１は、番組素材データを選択的に出力するスイッチャー（ＳＷ）１１１と、このスイッチャー１１１を番組編成データに基づいて切替制御する番組素材切替制御装置（ＡＰＣ）１１２と、この制御装置１１２の切替制御に基づいてスイッチャー１１１から出力される番組情報信号をＭＰＥＧ２符号化方式に基づく可変長圧縮符号化を施し、ＭＰＥＧ２トランスポートストリームパケットに変換するエンコーダ（ＥＮＣ）１１３と、このエンコーダ１１３の出力パケットに各種制御データをパケット多重するマルチプレクサ（ＭＵＸ）１１４と、上記番組素材切替制御装置１１２からの切替制御情報に基づいてエンコーダ１１３及びマルチプレクサ１１４を制御する符号化多重制御装置（ＥＭＣ）１１５を備える。
【００１３】
予備系送出装置１２は、現用系と全く同構成であり、スイッチャー（ＳＷ）１２１、番組素材切替制御装置（ＡＰＣ）１２２、エンコーダ（ＥＮＣ）１２３、マルチプレクサ（ＭＵＸ）１２４、符号化多重制御装置（ＥＭＣ）１２５を備える。
【００１４】
上記現用系送出装置１１及び予備系送出装置１２は完全に独立して動作し、それぞれの送出装置１１、１２から出力される番組情報信号（ＭＰＥＧ２トランスポートストリームパケット）は現用・予備切替装置１３に供給される。
【００１５】
この切替装置１３は、現用系送出装置１１及び予備系送出装置１２からのパケット列を所定個数いったん保持するバッファ１３１、１３２と、これらのバッファ１３１、１３２に保持された各パケットの内容を識別するパケット識別部１３３、１３４と、各バッファ１３１、１３２の出力を選択的に導出する切替スイッチ（ＳＷ）１３５と、各パケット識別部１３３、１３４の識別結果から現用系と切替可能なパケットが読み出されるように予備系のバッファ１３２の読み出し開始位置を制御し、両者のパケットの位相を調整し、切替スイッチ１３５の接続を現用系から予備系に切替制御するタイミング制御部１３６とを備える。
【００１６】
上記構成において、以下にその処理動作を説明する。
【００１７】
まず、現用系送出装置１１及び予備系送出装置１２では、互いに独立して同一の番組情報信号を生成する。これらの番組情報信号は、ＭＰＥＧ２トランスポートストリームパケットで形成されている。現用系と予備系との切替を容易にするためには、両者のストリームの切替可能なパケットの位相を合わせることが考えられる。この場合の現用・予備切替装置１３の切替処理の様子を図２（ａ）〜（ｃ）に示す。
【００１８】
しかしながら、実際には現用系と予備系で独立してストリームパケットを生成しているため、両者の切替可能なパケットの位相を合わせるためには、番組情報信号生成のための装置の構成が複雑となる。そこで、本発明では、現用系と予備系の出力を切替可能なパケットの位相をパケット単位で合わせないまま切替装置１３に入力し、切替装置１３にてタイミングを調整する。この場合の切替処理の様子を図２（ｄ）〜（ｆ）に示す。
【００１９】
図２（ａ）、（ｄ）は現用系送出装置１１の出力、図２（ｂ）、（ｅ）は予備系送出装置１２の出力、図２（ｃ）、（ｆ）は現用・予備切替装置１３の出力を示し、各図において、Ｖは映像パケット、Ａは音声パケット、Ｄはデータパケット、Ｓは切替可能パケット、Ｎは切替可能でないパケット、１は現用系送出装置１１の出力、２は予備系送出装置１２の出力であることを示している。
【００２０】
ここで、現用・予備切替装置１３では、上記の現用系送出装置１１からの番組情報信号をバッファ１３１に入力し、上記予備系送出装置１２からの番組情報信号をバッファ１３２に入力し、それぞれ所定個数のパケットを順次保持する。各バッファ１３１、１３２に保持されたパケットはそれぞれパケット識別部１３３、１３４によって識別され、その識別結果はタイミング制御部１３６に通知される。
【００２１】
このタイミング制御部１３６では、現用・予備切替トリガ信号が与えられると、各バッファ１３１、１３２に保持されたパケットの内容を比較し、音声、映像、データそれぞれの切替可能なパケットを識別し、各パケット位置で音声切替タイミング信号、映像切替タイミング信号、データ切替タイミング信号を出力する。現用・予備切替装置１３はそれぞれのタイミング信号を受けて、バッファ１３１、１３２の読み出し出力を音声、映像、データ別に順次切り替える。
【００２２】
図２（ａ）〜（ｃ）に示すように、切替可能なパケットの位相があっている場合には、音声、映像、データそれぞれの切替タイミングで読み出すバッファを切り替えればよいが、切替装置入力前に位相を合わせる必要がある。これに対し、本発明では、現用系及び予備系の各出力をパケット単位で位相を合わせないまま入力し、図２（ｄ）〜（ｆ）に示すように、音声、映像、データそれぞれの切替タイミングでバッファ出力を切り替える際に、読み出し位置を適宜ずらして、音声、映像、データを順次現用系から予備系へ切り替える。これにより、切替前の信号と切替後の信号が綺麗につながり、情報に乱れを生じさせることなく番組情報信号を送出されるようになる。
【００２３】
したがって、上記構成による現用・予備切替装置によれば、現用系、予備系の信号の切替可能なパケットの位相をパケット単位で合わせないまま入力しても、デジタル放送信号の現用・予備の切り替えを送出信号に乱れを生じさせることなくスムーズに行うことができる。
【００２４】
尚、本発明は上記実施形態の構成に限定されるものではない。例えば現用系、予備系の構成は図３に示すように完全独立でなくてもよい。尚、図３において、図１と同一部分には同一符号を付して示す。
【００２５】
すなわち、図３に示すシステムでは、ベースバンド系とストリーム系とで分離し、現用系のスイッチャー１１１の出力と予備系のスイッチャー１２１の出力をチェンジオーバー装置２１に入力し、それぞれの入力を現用系のエンコーダ１１３と予備系のエンコーダ１２３に選択的に導出可能とする。また、現用系の番組素材切替制御装置１１２の出力と予備系の番組素材切替制御装置１２２の出力をチェンジオーバー装置２２に入力し、それぞれの入力を現用系の符号化多重制御装置１１５と予備系の符号化多重制御装置１２５に選択的に導出可能とする。
【００２６】
上記構成によれば、ベースバンド系とストリーム系とで別々に冗長機能を発揮させることができる。つまり、現用系のスイッチャー１１１に異常が生じた場合、チェンジオーバー装置２１により予備系のスイッチャー１２１の出力を現用系、予備系両方のエンコーダ１１３、１２３に供給するようにし、現用系の番組素材切替制御装置１１２に異常が生じた場合、チェンジオーバー装置２２により予備系の番組素材切替制御装置１２２の出力を現用系、予備系両方の符号化多重制御装置１１５、１２５に供給するようにすることで、ベースバンド系の異常に対応することが可能となる。勿論、この場合もストリーム系に異常が生じた場合、現用・予備切替装置１３で対応可能である。
【００２７】
尚、チェンジオーバー装置２１におけるベースバンド系の切替処理は、扱う信号が圧縮符号化前であるので、単にフレーム位置で切り換えるだけで対応可能である。
【００２８】
【発明の効果】
以上のように本発明によれば、デジタル放送信号の現用・予備の切り替えを送出信号に乱れを生じさせることなくスムーズに行うことのできるデジタル放送送出システムの現用・予備切替装置を提供することができる。
【図面の簡単な説明】
【図１】  本発明の実施の形態に係るデジタル放送送出システムの構成を示すブロック図。
【図２】  上記実施の形態のシステム構成における処理動作を説明するためのタイミング図。
【図３】  本発明の他の実施形態に係るデジタル放送送出システムの構成を示すブロック図。
【符号の説明】
１１…現用送出装置
１１１…スイッチャー（ＳＷ）
１１２…番組素材切替制御装置（ＡＰＣ）
１１３…エンコーダ（ＥＮＣ）
１１４…マルチプレクサ（ＭＵＸ）
１１５…符号化多重制御装置（ＥＭＣ）
１２…予備用送出装置
１２１…スイッチャー（ＳＷ）
１２２…番組素材切替制御装置（ＡＰＣ）
１２３…エンコーダ（ＥＮＣ）
１２４…マルチプレクサ（ＭＵＸ）
１２５…符号化多重制御装置（ＥＭＣ）
１３…現用・予備切替装置
１３１、１３２…バッファ
１３３、１３４…パケット識別部
１３５…切替スイッチ（ＳＷ）
１３６…タイミング制御部
２１、２２…チェンジオーバー装置
【図１】
0004130522.tif 000002
【図２】
0004130522.tif 000003
【図３】
0004130522.tif 000004